(57)【要約】【課題】フェース面の表面状態をコントロールすることにより、番手に応じた最適な性能を発揮させる。【解決手段】ロフト角が最小であり最も低番手のクラブヘッド（ｉ＝１）から、最もロフト角が大であって高番手のクラブヘッド（ｉ＝ｑ）まで５〜１３本をセットとしたアイアンクラブヘッドセットである。ｉ＝１〜ｑのクラブヘッドセットにおいて、クラブヘッドセットの中間の番手の番号をｍとするとき、クラブヘッドのフェース面の摩擦係数が以下の条件を満たすことを特徴とする。ｉ番目のクラブヘッドのフェース面の摩擦係数をμｉとするときμ１＞μｍ　かつμｍ＜μｑ　かつｉ＝１とｉ＝ｍとの間では　μｉ≧μ（ｉ＋１）　かつｉ＝ｍとｉ＝ｑとの間では　μｉ≦μ（ｉ＋１）【選択図】　図１
2004000675.tif 000002
【特許請求の範囲】
【請求項１】
ロフト角が最小である最も低番手のクラブヘッド（ｉ＝１）から、ロフト角が最大である最も高番手のクラブヘッド（ｉ＝ｑ）まで５〜１３本をセットとしたアイアンクラブヘッドセットであって、
ｉ＝１〜ｑのクラブヘッドセットにおいて、クラブヘッドセットの中間の番手の番号をｍ（クラブヘッドセットが奇数本のとき中間の番手の番号をｍとする。また、クラブヘッドセットが偶数本のとき中間下の番手の番号をｍ１、中間上の番手の番号をｍ２とし、中間の番手のクラブヘッドにおける各種の値を特定するときは、この２本の平均値を用いることとし、便宜的に符号ｍを付して示す。）とするとき、前記クラブヘッドのフェース面の摩擦係数が以下の条件を満たすことを特徴とするアイアンクラブヘッドセット。
ｉ番目（ｉ＝１〜ｑ）のクラブヘッドのフェース面の摩擦係数をμｉとするとき
μ１＞μｍ　かつ
μｍ＜μｑ　かつ
ｉ＝１とｉ＝ｍ（又はｍ１）との間では　μｉ≧μ（ｉ＋１）　かつ
ｉ＝ｍ（又はｍ２）とｉ＝ｑとの間では　μｉ≦μ（ｉ＋１）
【請求項２】
ロフト角が最小である最も低番手のクラブヘッド（ｉ＝１）から、ロフト角が最大である最も高番手のクラブヘッド（ｉ＝ｑ）まで５〜１３本をセットとしたアイアンクラブヘッドセットであって、
少なくとも前記ロフト角が最小、最大の各クラブヘッドは、フェース面に複数本の溝を具えるとともに、　ｉ＝１〜ｑのクラブヘッドセットにおいて、クラブヘッドセットの中間の番手の番号をｍ（クラブヘッドセットが奇数本のとき中間の番手の番号をｍとする。また、クラブヘッドセットが偶数本のとき中間下の番手の番号をｍ１、中間上の番手の番号をｍ２とし、中間の番手のクラブヘッドにおける各種の値を特定するときは、この２本の平均値を用いることとし、便宜的に符号ｍを付して示す。）とするとき、前記溝が以下の４つの条件ａ１、ａ２、ａ３、ａ４の少なくとも１つの条件を満たすことを特徴とするアイアンクラブヘッドセット。
ａ１）ｉ番目（ｉ＝１〜ｑ）のクラブヘッドの溝深さをＤｉとするとき
Ｄ１＞Ｄｍ　かつ
Ｄｍ＜Ｄｑ　かつ
ｉ＝１とｉ＝ｍ（又はｍ１）との間では　Ｄｉ≧Ｄ（ｉ＋１）　かつ
ｉ＝ｍ（又はｍ２）とｉ＝ｑとの間では　Ｄｉ≦Ｄ（ｉ＋１）
ａ２）ｉ番目（ｉ＝１〜ｑ）のクラブヘッドの溝幅をＷｉとするとき
Ｗ１＞Ｗｍ　かつ
Ｗｍ＜Ｗｑ　かつ
ｉ＝１とｉ＝ｍ（又はｍ１）との間では　Ｗｉ≧Ｗ（ｉ＋１）　かつ
ｉ＝ｍ（又はｍ２）とｉ＝ｑとの間では　Ｗｉ≦Ｗ（ｉ＋１）
ａ３）ｉ番目（ｉ＝１〜ｑ）のクラブヘッドの溝と溝との間の間隔をＫｉとするとき
Ｋ１＜Ｋｍ　かつ
Ｋｍ＞Ｋｑ　かつ
ｉ＝１とｉ＝ｍ（又はｍ１）との間では　Ｋｉ≦Ｋ（ｉ＋１）　かつ
ｉ＝ｍ（又はｍ２）とｉ＝ｑとの間では　Ｋｉ≧Ｋ（ｉ＋１）
ａ４）ｉ番目（ｉ＝１〜ｑ）のクラブヘッドのフエース面と溝の溝壁とが挟む角度をθｉとするとき
θ１＜θｍ　かつ
θｍ＞θｑ　かつ
ｉ＝１とｉ＝ｍ（又はｍ１）との間では　θｉ≦θ（ｉ＋１）　かつ
ｉ＝ｍ（又はｍ２）とｉ＝ｑとの間では　θｉ≧θ（ｉ＋１）
【請求項３】
ロフト角が最小である最も低番手のクラブヘッド（ｉ＝１）から、ロフト角が最大である最も高番手のクラブヘッド（ｉ＝ｑ）まで５〜１３本をセットとしたアイアンクラブヘッドセットであって、
少なくとも前記ロフト角が最小、最大の各クラブヘッドは、フェース面に複数個のパンチマークを具えるとともに、
ｉ＝１〜ｑのクラブヘッドセットにおいて、クラブヘッドセットの中間の番手の番号をｍ（クラブヘッドセットが奇数本のとき中間の番手の番号をｍとする。また、クラブヘッドセットが偶数本のとき中間下の番手の番号をｍ１、中間上の番手の番号をｍ２とし、中間の番手のクラブヘッドにおける各種の値を特定するときは、この２本の平均値を用いることとし、便宜的に符号ｍを付して示す。）とするとき、前記パンチマークが以下の３つの条件ｂ１、ｂ２、ｂ３の少なくとも１つの条件を満たすことを特徴とするアイアンクラブヘッドセット。
ｂ１）ｉ番目（ｉ＝１〜ｑ）のクラブヘッドのパンチマークの深さをｄｉとするとき
ｄ１＞ｄｍ　かつ
ｄｍ＜ｄｑ　かつ
ｉ＝１とｉ＝ｍ（又はｍ１）との間では　ｄｉ≧ｄ（ｉ＋１）　かつ
ｉ＝ｍ（又はｍ２）とｉ＝ｑとの間では　ｄｉ≦ｄ（ｉ＋１）
ｂ２）ｉ番目（ｉ＝１〜ｑ）のクラブヘッドのパンチマークの面積Ｓｉとするとき
Ｓ１＞Ｓｍ　かつ
Ｓｍ＜Ｓｑ　かつ
ｉ＝１とｉ＝ｍ（又はｍ１）との間では　Ｓｉ≧Ｓ（ｉ＋１）　かつ
ｉ＝ｍ（又はｍ２）とｉ＝ｑとの間では　Ｓｉ≦Ｓ（ｉ＋１）
ｂ３）ｉ番目（ｉ＝１〜ｑ）のクラブヘッドの隣り合うパンチマークの間隔をｋｉとするとき
ｋ１＜ｋｍ　かつ
ｋｍ＞ｋｑ　かつ
ｉ＝１とｉ＝ｍ（又はｍ１）との間では　ｋｉ≦ｋ（ｉ＋１）　かつ
ｉ＝ｍ（又はｍ２）とｉ＝ｑとの間では　ｋｉ≧ｋ（ｉ＋１）
【請求項４】
ロフト角が最小である最も低番手のクラブヘッド（ｉ＝１）から、ロフト角が最大である最も高番手のクラブヘッド（ｉ＝ｑ）まで５〜１３本をセットとしたアイアンクラブヘッドセットであって、
ｉ＝１〜ｑのクラブヘッドセットにおいて、クラブヘッドセットの中間の番手の番号をｍ（クラブヘッドセットが奇数本のとき中間の番手の番号をｍとする。また、クラブヘッドセットが偶数本のとき中間下の番手の番号をｍ１、中間上の番手の番号をｍ２とし、中間の番手のクラブヘッドにおける各種の値を特定するときは、この２本の平均値を用いることとし、便宜的に符号ｍを付して示す。）とするとき、フェース面の十点平均粗さＲが以下の条件ｃ１を満たすことを特徴とするアイアンクラブヘッドセット。
ｃ１）ｉ番目（ｉ＝１〜ｑ）のクラブヘッドのフェース面の十点平均粗さをＲｉとするとき
Ｒ１＞Ｒｍ　かつ
Ｒｍ＜Ｒｑ　かつ
ｉ＝１とｉ＝ｍ（又はｍ１）との間では　Ｒｉ≧Ｒ（ｉ＋１）　かつ
ｉ＝ｍ（又はｍ２）とｉ＝ｑとの間では　Ｒｉ≦Ｒ（ｉ＋１）
【発明の詳細な説明】
【０００１】
【発明の属する技術分野】
本発明は、クラブヘッドのフェース面の表面状態をコントロールすることにより、番手に応じた最適な性能を発揮しうるように打球のスピン性能を改善したアイアンクラブヘッドセットに関する。
【０００２】
【従来の技術】
アイアンゴルフクラブは、ロフト角が相対的に小さい低番手ではより遠くへボールを飛ばすための飛距離性能が要求され、逆にロフト角が相対的に大きい高番手では地面に落下してからのボールの転がり（以下、「ラン」ということがある。）を抑制するいわゆるコントロール性能が要求されている。一般に、前記飛距離性能を向上するには、打ち出されたボールのバックスピン量を減じることが望ましく、これにより打球の打ち出し角度を大きくすることが効果的であり、逆に前記コントロール性能を向上するためには、打ち出されたボールにより多くのバックスピンを与えることが有効である。
【０００３】
従来、これらの要求性能を達成することを目的としたアイアンクラブセットとして、例えば特開昭６１−２７２０６７号公報、特開平２−２２８９８０号公報、特開平２−２２８９８１号公報、特開平９−１９２２７４号公報などが提案されている。
【０００４】
これらの提案では、クラブヘッドのフェース面に形成される溝やパンチマークなどの深さ、幅、大きさ、形状、配設間隔、さらにはフェース面の表面粗さなどをクラブの番手に応じて変化させることにより、図７に示す曲線Ｌ１のように、ロフト角が相対的に小さい低番手のクラブヘッドほどフェース面の摩擦係数を小さく設定し、逆に高番手のクラブヘッドほどフェース面の摩擦係数を大きく設定するという手法が採用されている。なお特開昭６１−２７２０６７号公報では、曲線Ｌ２に示すように低番手のクラブヘッドほどフェース面の摩擦係数を大きくすることも開示している。
【０００５】
【発明が解決しようとする課題】
しかしながら、本発明者らの種々の実験、高番手のクラブヘッドのフェース面の摩擦係数を大きくすると、確かに打ち出されたボールのバックスピン量は増大し打球のコントロール性を向上することはできるが、比較的番手が小さいクラブヘッドではフェース面の摩擦係数を小さくすると、従来の予想に反してボールのバックスピン量が僅かながら増加する傾向があることが判明した。
【０００６】
図８にはこの実験結果のうちクラブヘッドのフェース面の表面状態と打ち出しされたボールのバックスピン量との関係を示してる。また図９〜１２には、フェース面の表面状態と打ち出しされたボールの打ち出し角との関係を示している。
【０００７】
なお実験では、アイアンセット中から、３番アイアン（ロフト角２１°）、５番アイアン（ロフト角２９°）、７番アイアン（ロフト角３７°）、サンドウエッジ（ロフト角５６°）の４本のクラブを使用し、同じボール（２ピースボール）を同じ条件でスイングロボットを用いて試打を行った。また各アイアンのフェース面は、いずれもチタンからなるが、溝がなくかつ平滑な表面を有するもの（最も摩擦係数が小さいもの）、溝がなくかつ荒い表面を有するもの、溝がありかつ荒い表面を有するもの（最も摩擦係数が大きいもの）の３段階の表面状態で比較を行った。
【０００８】
これらの実験の結果、３番、５番、７番の各アイアンでは、従来の予想とは逆にフェース面の摩擦係数が大きいほど、打ち出しされたボールのバックスピン量が少なくかつ打ち出し角度が大きくなり、ひいては飛距離が増大するという傾向が確認された。そして発明者らのさらなる研究の結果、概ねクラブヘッドのロフト角５０度を境として、これよりも小さなロフト角のクラブヘッドでは、フェース面の摩擦係数の大きい方が打ち出しされたボールのバックスピン量が相対的に少なくかつ打ち出し角度が大きくなるとの知見を得た。
【０００９】
このような現象を理論的に完全に解明することは、インパクト時のボールの複雑な変形挙動の詳細な解析がさらに必要となるが、一つの原因としてクラブヘッドのフェース面とボールとのインパクト時に発生するボールのコア部分の内部スピンが影響しているものと推察できる。
【００１０】
図１３（ａ）〜（ｄ）には、ボールのインパクトの状態を時系列的に示している。また図１４はボールＢのコア部分（位置Ｐ１）とカバー（位置Ｐ２）との間のせん断力と、インパクトからの経過時間との関係を示すグラフである。
【００１１】
図１３（ａ）に示すように、インパクトされたボールＢは、変形してフェース面３に比較的広範囲で密着する。このときボールＢは、フェース面３から、該フェース面３に沿った方向の摩擦力Ｍとフェース面３に垂直な力とを受け、従来ではこの摩擦力Ｍが大きいほど、ボールＢのバックスピン量が増大すると考えられていた。
【００１２】
発明者らは、ボールＢのインパクトの過程をさらに詳細に調べたところボールＢのカバーＢ２は、該カバーＢ２を摩擦力方向に引っ張るせん断力により、図１３に示される位置Ｐ１、Ｐ２間を円周方向で相対的に位置ずれさせることを突き止めた（図１３（ｂ））。
【００１３】
このようなコア部分Ｂ１とカバーＢ２の位置ずれは、インパクトされたボールＢの変形が元の状態に復元を開始するにつれて元に戻ろうとする。この復元力により、コア部分Ｂ１とカバーＢ２との間には、前記とは逆方向のせん断力が作用して位置Ｐ１、Ｐ２は、前記位置ずれが無くなった中立位置（図１３（ｃ））をさらに超えた位置でフェース面３から打ち出しされる。
【００１４】
このとき、コア部分Ｂ１には、バックスピンとは逆方向となる順方向の内部的なスピンが発生しており、この内部的なスピンが多いほどボールのバックスピン量が低下することが判明したのである。
【００１５】
また、概ねロフト角５０度を境として、これよりも小さなロフト角のクラブヘッドでは、フェース面３の摩擦係数を小さくすると前記コア部分Ｂ１の順方向に回転する内部スピンが減少するためにボールのバックスピン量は増加するものと考えられる。
【００１６】
本発明は、このような実状に鑑み案出なされたもので、各クラブヘッドの要求性能に応じてフェース面の表面状態を改善することを基本として、とりわけ低番手での飛距離性能をさらに向上しうるアイアンクラブヘッドセットを提供することを目的としている。
【００１７】
【課題を解決するための手段】
本発明のうち請求項１記載の発明は、ロフト角が最小である最も低番手のクラブヘッド（ｉ＝１）から、ロフト角が最大である最も高番手のクラブヘッド（ｉ＝ｑ）まで５〜１３本をセットとしたアイアンクラブヘッドセットであって、ｉ＝１〜ｑのクラブヘッドセットにおいて、クラブヘッドセットの中間の番手の番号をｍ（クラブヘッドセットが奇数本のとき中間の番手の番号をｍとする。また、クラブヘッドセットが偶数本のとき中間下の番手の番号をｍ１、中間上の番手の番号をｍ２とし、中間の番手のクラブヘッドにおける各種の値を特定するときは、この２本の平均値を用いることとし、便宜的に符号ｍを付して示す。）とするとき、前記クラブヘッドのフェース面の摩擦係数が以下の条件を満たすことを特徴とするアイアンクラブヘッドセットである。
ｉ番目（ｉ＝１〜ｑ）のクラブヘッドのフェース面の摩擦係数をμｉとするとき
μ１＞μｍ　かつ
μｍ＜μｑ　かつ
ｉ＝１とｉ＝ｍ（又はｍ１）との間では　μｉ≧μ（ｉ＋１）　かつ
ｉ＝ｍ（又はｍ２）とｉ＝ｑとの間では　μｉ≦μ（ｉ＋１）
【００１８】
また請求項２記載の発明では、ロフト角が最小である最も低番手のクラブヘッド（ｉ＝１）から、ロフト角が最大である最も高番手のクラブヘッド（ｉ＝ｑ）まで５〜１３本をセットとしたアイアンクラブヘッドセットであって、少なくとも前記ロフト角が最小、最大の各クラブヘッドは、フェース面に複数本の溝を具えるとともに、ｉ＝１〜ｑのクラブヘッドセットにおいて、クラブヘッドセットの中間の番手の番号をｍ（クラブヘッドセットが奇数本のとき中間の番手の番号をｍとする。また、クラブヘッドセットが偶数本のとき中間下の番手の番号をｍ１、中間上の番手の番号をｍ２とし、中間の番手のクラブヘッドにおける各種の値を特定するときは、この２本の平均値を用いることとし、便宜的に符号ｍを付して示す。）とするとき、前記溝が以下の４つの条件ａ１、ａ２、ａ３、ａ４の少なくとも１つの条件を満たすことを特徴としている。
ａ１）ｉ番目（ｉ＝１〜ｑ）のクラブヘッドの溝深さをＤｉとするとき
Ｄ１＞Ｄｍ　かつ
Ｄｍ＜Ｄｑ　かつ
ｉ＝１とｉ＝ｍ（又はｍ１）との間では　Ｄｉ≧Ｄ（ｉ＋１）　かつ
ｉ＝ｍ（又はｍ２）とｉ＝ｑとの間では　Ｄｉ≦Ｄ（ｉ＋１）
ａ２）ｉ番目（ｉ＝１〜ｑ）のクラブヘッドの溝幅をＷｉとするとき
Ｗ１＞Ｗｍ　かつ
Ｗｍ＜Ｗｑ　かつ
ｉ＝１とｉ＝ｍ（又はｍ１）との間では　Ｗｉ≧Ｗ（ｉ＋１）　かつ
ｉ＝ｍ（又はｍ２）とｉ＝ｑとの間では　Ｗｉ≦Ｗ（ｉ＋１）
ａ３）ｉ番目（ｉ＝１〜ｑ）のクラブヘッドの溝と溝との間の間隔をＫｉとするとき
Ｋ１＜Ｋｍ　かつ
Ｋｍ＞Ｋｑ　かつ
ｉ＝１とｉ＝ｍ（又はｍ１）との間では　Ｋｉ≦Ｋ（ｉ＋１）　かつ
ｉ＝ｍ（又はｍ２）とｉ＝ｑとの間では　Ｋｉ≧Ｋ（ｉ＋１）
ａ４）ｉ番目（ｉ＝１〜ｑ）のクラブヘッドのフエース面と溝の溝壁とが挟む角度をθｉとするとき
θ１＜θｍ　かつ
θｍ＞θｑ　かつ
ｉ＝１とｉ＝ｍ（又はｍ１）との間では　θｉ≦θ（ｉ＋１）　かつ
ｉ＝ｍ（又はｍ２）とｉ＝ｑとの間では　θｉ≧θ（ｉ＋１）
【００１９】
また請求項３記載の発明は、ロフト角が最小である最も低番手のクラブヘッド（ｉ＝１）から、ロフト角が最大である最も高番手のクラブヘッド（ｉ＝ｑ）まで５〜１３本をセットとしたアイアンクラブヘッドセットであって、少なくとも前記ロフト角が最小、最大の各クラブヘッドは、フェース面に複数個のパンチマークを具えるとともに、ｉ＝１〜ｑのクラブヘッドセットにおいて、クラブヘッドセットの中間の番手の番号をｍ（クラブヘッドセットが奇数本のとき中間の番手の番号をｍとする。また、クラブヘッドセットが偶数本のとき中間下の番手の番号をｍ１、中間上の（消さない）番号をｍ２とし、中間の番手のクラブヘッドにおける各種の値を特定するときは、この２本の平均値を用いることとし、便宜的に符号ｍを付して示す。）とするとき、前記パンチマークが以下の３つの条件ｂ１、ｂ２、ｂ３の少なくとも１つの条件を満たすことを特徴としている。
ｂ１）ｉ番目（ｉ＝１〜ｑ）のクラブヘッドのパンチマークの深さをｄｉとするとき
ｄ１＞ｄｍ　かつ
ｄｍ＜ｄｑ　かつ
ｉ＝１とｉ＝ｍ（又はｍ１）との間では　ｄｉ≧ｄ（ｉ＋１）　かつ
ｉ＝ｍ（又はｍ２）とｉ＝ｑとの間では　ｄｉ≦ｄ（ｉ＋１）
ｂ２）ｉ番目（ｉ＝１〜ｑ）のクラブヘッドのパンチマークの面積Ｓｉとするとき
Ｓ１＞Ｓｍ　かつ
Ｓｍ＜Ｓｑ　かつ
ｉ＝１とｉ＝ｍ（又はｍ１）との間では　Ｓｉ≧Ｓ（ｉ＋１）　かつ
ｉ＝ｍ（又はｍ２）とｉ＝ｑとの間では　Ｓｉ≦Ｓ（ｉ＋１）
ｂ３）ｉ番目（ｉ＝１〜ｑ）のクラブヘッドの隣り合うパンチマークの間隔をｋｉとするとき
ｋ１＜ｋｍ　かつ
ｋｍ＞ｋｑ　かつ
ｉ＝１とｉ＝ｍ（又はｍ１）との間では　ｋｉ≦ｋ（ｉ＋１）　かつ
ｉ＝ｍ（又はｍ２）とｉ＝ｑとの間では　ｋｉ≧ｋ（ｉ＋１）
【００２０】
また請求項４記載の発明は、ロフト角が最小である最も低番手のクラブヘッド（ｉ＝１）から、ロフト角が最大である最も高番手のクラブヘッド（ｉ＝ｑ）まで５〜１３本をセットとしたアイアンクラブヘッドセットであって、ｉ＝１〜ｑのクラブヘッドセットにおいて、クラブヘッドセットの中間の番手の番号をｍ（クラブヘッドセットが奇数本のとき中間の番手の番号をｍとする。また、クラブヘッドセットが偶数本のとき中間下の番手の番号をｍ１、中間上の番手の番号をｍ２とし、中間の番手のクラブヘッドにおける各種の値を特定するときは、この２本の平均値を用いることとし、便宜的に符号ｍを付して示す。）とするとき、フェース面の十点平均粗さＲが以下の条件ｃ１を満たすことを特徴としている。ｃ１）ｉ番目（ｉ＝１〜ｑ）のクラブヘッドのフェース面の十点平均粗さをＲｉとするとき
Ｒ１＞Ｒｍ　かつ
Ｒｍ＜Ｒｑ　かつ
ｉ＝１とｉ＝ｍ（又はｍ１）との間では　Ｒｉ≧Ｒ（ｉ＋１）　かつ
ｉ＝ｍ（又はｍ２）とｉ＝ｑとの間では　Ｒｉ≦Ｒ（ｉ＋１）
【００２１】
なお本明細書において、フェース面の摩擦係数は、フェース面にボールを垂直に所定の力Ｎで押し当てるとともに、このボールをフェース面と平行にフェースの高さ方向に滑らせるに要した力Ｐと前記押し付け力Ｎとの関係より求めるものとする。
【００２２】
またフェース面の溝幅は、Ｒ＆Ａの内規「３０度測定法」に基づき測定するものとし、クラブヘッドのフェース面に溝が設けられていない場合には、溝幅、溝深さはともに０、溝の間隔は無限大、溝壁角度は１８０度としてそれぞれ定める。
【００２３】
またフェース面にパンチマークが設けられていないクラブヘッドの場合には、パンチマークの深さ、面積はともに０とし、パンチマークの間隔は無限大とする。
【００２４】
さらにフェース面の十点平均粗さは、ＪＩＳ　Ｂ０６０１の第５項の「十点平均粗さ（Ｒｚ）の定義及び表示」に従って測定するものとする。
【００２５】
【発明の実施の形態】
以下本発明の実施の一形態を図面に基づき説明する。
図１に示すように、本実施形態のアイアンゴルフクラブヘッドセット１は、ロフト角αが最小であり最も低番手のクラブヘッド（ｉ＝１）から、ロフト角が最大である最も高番手のクラブヘッド（ｉ＝ｑ）まで５〜１３本をセットとしたものである。
【００２６】
このようなアイアンクラブのヘッドセット１は、例えば番手数が奇数のみからなるハーフセットや、３番アイアン〜９番アイアンまでの７本セット（ｉ＝１〜７）、さらには、これらにドライビングアイアン、２番アイアン、ピッチングウエッジ、アプローチウエッジ、サンドウエッジ、ロブウエッジなどの１ないし複数本を加えることができる。そして、セットの総本数が５〜１３本であり、より好ましくは７〜１３本、さらに好ましくは７〜１０本で構成されるのが望ましい。
【００２７】
図１に示す実施形態では、例えば３、５、７、９、１１番アイアン（サンドウエッジ）のヘッド２ａ〜２ｅからなるセットの総本数が５本（ｉ＝１〜５）のものを例示している。なお前記符号「ｉ」は、各クラブヘッド２を特定するために低番手のクラブヘッド２から順に付される番号であって、実際のクラブの番手数（例えば５番アイアンの「５」など）を表示するものとは異なる。
【００２８】
またアイアンゴルフクラブヘッドセット１においては、例えば最もロフト角が小さいもので、１０〜２５度、最もロフト角が大きいもので５５〜６０度程度、そして中間の番手は３０〜４５度程度に設定されるのが好ましい。なおヘッド２は、ステンレス、チタン、チタン合金、あるいはこれらを組み合わせた複合材料など種々の材料で構成でき、本例ではステンレス材からなるヘッド本体に、フェース面３として純チタンを装着したものを例示している。
【００２９】
またｉ＝１〜ｑのクラブヘッドセットにおいて、クラブヘッドセット２の中間の番手のクラブヘッドの番号をｍとして定める。ここで、クラブヘッドセット１が奇数本で構成されるときには、ｉ＝１〜ｑの中間の番手の番号をｍとする。本実施形態では、クラブヘッドセット１がｉ＝５の奇数本で構成されるため、中間の番手のクラブヘッドが２ｃとなり、その番号は「３」となる。
【００３０】
なお、クラブヘッドセット１が偶数本（例えばｉ＝１〜１０）で構成されるときには、中間下の番手の番号をｍ１（例えばｉ＝５）、中間上の番手の番号をｍ２（例えばｉ＝６）とし、中間の番手のクラブヘッド２における各種の値を特定するときは、この２本の番手の平均値を用いることとし、便宜的に符号ｍを付して示すものとする。
【００３１】
そして、本実施形態では、前記クラブヘッド２のフェース面３の摩擦係数が以下の条件を満たしている。
【００３２】
ｉ番目（ｉ＝１〜ｑ）のクラブヘッド２のフェース面３の摩擦係数をμｉとするとき
μ１＞μｍ　かつ
μｍ＜μｑ　かつ
ｉ＝１とｉ＝ｍ（又はｍ１）との間では　μｉ≧μ（ｉ＋１）　かつ
ｉ＝ｍ（又はｍ２）とｉ＝ｑとの間では　μｉ≦μ（ｉ＋１）
【００３３】
このように、アイアンクラブヘッドセット１の中で、最も低番手および最も高番手のクラブヘッド２ａ、２ｅのフェース面３の摩擦係数をそれぞれ中間の番手のクラブヘッド２ｃのフェース面３の摩擦係数よりも大とすることにより、低番手のクラブヘッド２ａではボールのバックスピン量を減じる事ができ飛距離性能を向上しうる。
【００３４】
また、高番手のクラブヘッド２ｅではバックスピン量を増してコントロール性能を向上することが可能となる。なお低番手のクラブヘッドにおいてフェース面の摩擦係数を大きくすると打ち出しされたボールのバックスピン量が減り打ち出し角度が高くなって飛距離性能に有利となることは前述した通りである。
【００３５】
また中間の番手のクラブヘッド２ｃについては、フェース面３の摩擦係数が相対的に小さくなるため、例えばロフト角が５０度未満であるような場合には、前述の作用により打ち出しされたボールのバックスピン量を増すことができ、コントロール性能を向上することが可能となるため好ましい。
【００３６】
図２には、この実施形態の一例を示し、縦軸にフェース面の摩擦係数μ（上が大）を、横軸には前記クラブヘッドセットの番手数を示している。曲線Ｌ３では摩擦係数が２種類設定されたものを示し、また曲線Ｌ４では３段階に変化するのを示している。
【００３７】
なおクラブヘッド２のフェース面３の摩擦係数を変化させる方法としては、例えばフェース面に形成される溝、パンチマーク、表面粗さ、メッキ処理など種々のものが考えられ、以下順に説明する。
【００３８】
（第１実施形態）
この例では、図３に示すように、少なくとも前記ロフト角が最小、最大の各クラブヘッド２ａ、２ｅには、フェース面３に複数本の溝４を具えている。このような溝４は、図４に示すように、溝４の深さＤを大きくするほど、また溝幅Ｗを大きくするほど、さらには溝と溝との間の間隔（同じ側の溝壁縁間の距離）を小さくするほど、またフェース面３と溝４の溝壁４ａとが挟む角度θを小さくするほど、フェース面３の摩擦係数を大きくすることができる。
【００３９】
したがって、クラブヘッドセット１において上述のように摩擦係数μを変化させるためには、前記溝４が以下の４つの条件ａ１、ａ２、ａ３、ａ４の少なくとも１つの条件を満たすことが好ましい。なおクラブヘッドセット１の中間の番手の番号ｍなどは前記した通りである。
【００４０】
ａ１）ｉ番目（ｉ＝１〜ｑ）のクラブヘッドの溝深さをＤｉとするとき
Ｄ１＞Ｄｍ　かつ
Ｄｍ＜Ｄｑ　かつ
ｉ＝１とｉ＝ｍ（又はｍ１）との間では　Ｄｉ≧Ｄ（ｉ＋１）　かつ
ｉ＝ｍ（又はｍ２）とｉ＝ｑとの間では　Ｄｉ≦Ｄ（ｉ＋１）
ａ２）ｉ番目（ｉ＝１〜ｑ）のクラブヘッドの溝幅をＷｉとするとき
Ｗ１＞Ｗｍ　かつ
Ｗｍ＜Ｗｑ　かつ
ｉ＝１とｉ＝ｍ（又はｍ１）との間では　Ｗｉ≧Ｗ（ｉ＋１）　かつ
ｉ＝ｍ（又はｍ２）とｉ＝ｑとの間では　Ｗｉ≦Ｗ（ｉ＋１）
ａ３）ｉ番目（ｉ＝１〜ｑ）のクラブヘッドの溝と溝との間の間隔をＫｉとするとき
Ｋ１＜Ｋｍ　かつ
Ｋｍ＞Ｋｑ　かつ
ｉ＝１とｉ＝ｍ（又はｍ１）との間では　Ｋｉ≦Ｋ（ｉ＋１）　かつ
ｉ＝ｍ（又はｍ２）とｉ＝ｑとの間では　Ｋｉ≧Ｋ（ｉ＋１）
ａ４）ｉ番目（ｉ＝１〜ｑ）のクラブヘッドのフエース面と溝の溝壁とが挟む角度をθｉとするとき
θ１＜θｍ　かつ
θｍ＞θｑ　かつ
ｉ＝１とｉ＝ｍ（又はｍ１）との間では　θｉ≦θ（ｉ＋１）　かつ
ｉ＝ｍ（又はｍ２）とｉ＝ｑとの間では　θ（ｉ＋１）≦θｉ
【００４１】
このように、条件ａ１〜ａ４の少なくとも一つ、好ましくは２以上、より好ましくは３以上、さらに好ましくは全てを満たすことが最も望ましい。このような実施形態のより詳細な具体例を表１に示す。
【００４２】
【表１】
2004000675.tif 000003
【００４３】
表１では、クラブヘッドセット１をロフト角αが１０度以上かつ３０度未満の低番手群と、ロフト角３０度以上〜かつ５０度未満の中間番手群と、ロフト角５０度以上〜かつ６０以下の高番手群とにロフト角に応じて３段階に区分し、各番手群に好ましい範囲を特定している。
【００４４】
前記低番手群及び高番手群では、フェース面３の溝深さＤは０．４〜０．５ｍｍとするのが特に好ましい。この溝深さＤが０．４ｍｍ未満であると、フェース面３の摩擦係数の増大効果が相対的に低下する傾向があり、逆に０．５ｍｍを越えると、ゴルフルールに適合しなくなり好ましくない。
【００４５】
また前記低番手群及び高番手群では、例えばフェース面３の溝幅Ｗは、０．７〜０．９ｍｍとするのが好ましい。この溝幅Ｗが０．７ｍｍ未満であると、フェース面３の摩擦係数の増大効果が相対的に低下する傾向があり、逆に０．９ｍｍを越えると、ゴルフルールに適合しなくなり好ましくない。
【００４６】
また低番手群及び高番手群では、フェース面３の溝４の間隔Ｋを２．１〜３．５ｍｍとするのが好ましい。この間隔Ｋが２．１ｍｍを下回ると、ルール下限に近づき加工精度が特にシビアに要求され、逆に３．５ｍｍを越えるとフェース面３の摩擦係数の増大効果が相対的に低下する傾向がある。
【００４７】
さらに、低番手群及び高番手群では、溝壁角度θを９０〜１２０度とするのが好ましい。この溝壁角度θが、１２０度を超えると、フェース面３の摩擦係数の増大効果が相対的に低下する傾向があり、逆に９０度を下回るとゴルフルールに適合しなくなり好ましくない。
【００４８】
このように、低番手群、高番手群のフェース面３の溝４を種々の観点から規制することにより、低番手群では打ち出しされたボールのバックスピン量を減らして打ち出し角を高くでき、飛距離性能を向上しうるとともに、高番手群では打ち出しされたボールのバックスピン量を増してランを減じるなどコントロール性能を向上しうる。
【００４９】
また中間番手群では、フェース面３の溝４について、溝深さＤが前記低番手群（又は高番手群）の溝深さの８０％以下、溝幅Ｗが前記低番手群（又は高番手群）の溝幅Ｗの８０％以下、前記溝壁角度θが前記低番手群（又は高番手群）の溝壁角度の１２０％以上、溝の間隔Ｋが前記低番手群（又は高番手群）の溝の間隔の１２０％以上とすることが好ましい。
【００５０】
これにより、ロフト角が５０度未満の中間番手群においては、フェース面３の摩擦係数μが相対的に小さくなるため、ボールのバックスピン量を増すことができ、コントロール性が向上する。
【００５１】
なお図３では中間の番手のクラブヘッド２ｃにも溝４を設けたものが示されている。一般に雨天時などウェット状態でゴルフクラブを使用する際には打撃されたボールのバックスピン量が相対的に低下しやすいため、またセット中の全てのクラブに溝４があると購買者に安心感を与えるため、セット中の全てのクラブに溝４を設けるのが望ましい。
【００５２】
なおこの溝４は、ゴルフルールに従いクラブのフェース面および溝の長さの全体にわたって同じ断面形状に設定されかつ左右対称の溝壁４ａを有している。
【００５３】
またこの溝４に関して、溝深さＤについてのＤ１＞Ｄｑ、溝幅ＷについてのＷ１＞Ｗｑ、溝間間隔ＫについてのＫ１＞Ｋｑ、溝壁角度θについてのθ１＞θｑの少なくとも１つを充足することも好ましく、さらには不等号を逆とすることでも良い。
【００５４】
（第２実施形態）
次に、フェース面３の摩擦係数を変える手法として該フェース面３にパンチマーク５を設けたものについて説明する。パンチマーク５とは、図５に示すようにクラブヘッド２のフェース面３に設けられた円ないし楕円形状の小孔であり、このパンチマーク５の深さｄが大きいほど、また面積Ｓ（表面積）が大きいほど、また隣り合うパンチマーク５、５の間隔ｋが小さいほどフェース面３の摩擦係数を大きくすることができる。
【００５５】
そこで、本例では、ｉ＝１〜ｑのクラブヘッドセット１において、このパンチマーク５が以下の３つの条件ｂ１、ｂ２、ｂ３の少なくとも１つの条件を満たすように設定する。
【００５６】
ｂ１）ｉ番目（ｉ＝１〜ｑ）のクラブヘッドのパンチマーク５の深さをｄｉとするとき
ｄ１＞ｄｍ　かつ
ｄｍ＜ｄｑ　かつ
ｉ＝１とｉ＝ｍ（又はｍ１）との間では　ｄｉ≧ｄ（ｉ＋１）　かつ
ｉ＝ｍ（又はｍ２）とｉ＝ｑとの間では　ｄｉ≦ｄ（ｉ＋１）
ｂ２）ｉ番目（ｉ＝１〜ｑ）のクラブヘッドのパンチマーク５の面積Ｓｉとするとき
Ｓ１＞Ｓｍ　かつ
Ｓｍ＜Ｓｑ　かつ
ｉ＝１とｉ＝ｍ（又はｍ１）との間では　Ｓｉ≧Ｓ（ｉ＋１）　かつ
ｉ＝ｍ（又はｍ２）とｉ＝ｑとの間では　Ｓｉ≦Ｓ（ｉ＋１）
ｂ３）ｉ番目（ｉ＝１〜ｑ）のクラブヘッドの隣り合うパンチマーク５の間隔（それぞれの中心間の間隔）をｋｉとするとき
ｋ１＜ｋｍ　かつ
ｋｍ＞ｋｑ　かつ
ｉ＝１とｉ＝ｍ（又はｍ１）との間では　ｋｉ≦ｋ（ｉ＋１）　かつ
ｉ＝ｍ（又はｍ２）とｉ＝ｑとの間では　ｋｉ≧ｋ（ｉ＋１）
【００５７】
このように、条件ｂ１〜ｂ３の少なくとも一つ、好ましくは２以上、より好ましくは全てを満たすことが望ましい。このような実施形態のより詳細な具体例を表２に示す。
【００５８】
【表２】
2004000675.tif 000004
【００５９】
表２では、前記と同様、クラブヘッドセットをロフト角αを１０度以上かつ３０度未満の低番手群と、ロフト角３０度以上かつ５０度未満の中間番手群と、ロフト角５０度以上かつ６０以下の高番手群とにロフト角に応じて３段階に区分し、各番手群に好ましい範囲を特定している。
【００６０】
前記低番手群及び高番手群では、パンチマーク５の深さｄは０．５〜１．０ｍｍとするのが好ましい。この深さｄが０．５ｍｍ未満であると、フェース面３の摩擦係数の増大効果が相対的に低下する傾向があり、逆に１．０ｍｍを越えると、ゴルフルールに適合しなくなり好ましくない。
【００６１】
また前記低番手群及び高番手群では、パンチマークの面積Ｓは、２．０〜２．８ｍｍ２とするのが好ましい。このパンチマークの面積Ｓが２．０ｍｍ２未満であると、フェース面３の摩擦係数の増大効果が相対的に低下する傾向がある。
【００６２】
さらに、前記低番手群及び高番手群では、隣り合うパンチマークの間隔ｋは、４．３〜６．０ｍｍとするのが好ましい。このパンチマークの間隔ｋが４．３ｍｍ未満であると、ゴルフルールに適合しなくなり、逆に６．０ｍｍを越えるとフェース面３の摩擦係数の増大効果が相対的に低下する傾向がある。
【００６３】
なお、このようなパンチマーク５は、少なくとも最も低番手のクラブヘッド２ａと最も高番手のクラブヘッド２ｅとに設けることによりその効果を発揮しうるが、前記溝４の場合と同様にセット中の全てのクラブヘッドに設けるのが特に好ましい。
【００６４】
（第３実施形態）
フェース面３の摩擦係数を変える他の手法として、図６に示すように、例えばサンドブラスト処理などにより微細な凹凸６をフェース面３に施すことが挙げられる。このようなフェース面３の摩擦係数は、表面粗さ、例えば十点平均粗さＲに比例する。そこで本例ではｉ＝１〜ｑのクラブヘッドセット１において、フェース面３の十点平均粗さＲが以下の条件ｃ１を満たすことが好ましい。
【００６５】
ｃ１）ｉ番目（ｉ＝１〜ｑ）のクラブヘッドのフェース面の十点平均粗さをＲｉとするとき
Ｒ１＞Ｒｍ　かつ
Ｒｍ＜Ｒｑ　かつ
ｉ＝１とｉ＝ｍ（又はｍ１）との間では　Ｒｉ≧Ｒ（ｉ＋１）　かつ
ｉ＝ｍ（又はｍ２）とｉ＝ｑとの間では　Ｒｉ≦Ｒ（ｉ＋１）
このような実施形態を表３に示す。
【００６６】
【表３】
2004000675.tif 000005
【００６７】
表３では、前記と同様、クラブヘッドセットをロフト角１０度以上かつ３０度未満の低番手群と、ロフト角３０度以上かつ５０度未満の中間番手群と、ロフト角５０度以上かつ６０以下の高番手群とにロフト角に応じて３段階に区分し、各番手群に好ましい範囲を分類している。そして、前記低番手群及び高番手群では、フェース面の十点平均粗さＲｉを１０〜１５（μｍ）に設定するのが好ましく、中間番手群では２〜７（μｍ）とするのが好ましい。なお、この条件ｃ１は、前記溝４又はパンチマーク５の条件と組み合わせて用いても良い。
【００６８】
以上好ましい実施形態について詳述したが、本発明は、例えばフェース面３のメッキ処理を施したものと、それを施さないものなどにより摩擦係数μを変えるようにしてもよく、種々の態様に変形しうる。
【００６９】
【実施例】
（第１実施形態）
フェース面に溝を有する総本数７本のクラブセットを表４の仕様にて試作し（実施例１、２、比較例１）、シャフトを装着してスイングロボットにより試打テストを行い、打ち出しされたボールのバックスピン量、打ち出し角度、キャリー、ラン、トータル飛距離をそれぞれ測定した。なおスイングロボットは、ロフト角１５度のクラブヘッドを有するクラブで４１．５ｍ／ｓのヘッドスピードになるよう設定した。クラブヘッドの仕様を表４に、テストの結果を表５に示す。
【００７０】
【表４】
2004000675.tif 000006
【００７１】
【表５】
2004000675.tif 000007
【００７２】
（第２実施形態）
フェース面にパンチマークを有するクラブセットを表６の仕様にて試作し（実施例３、比較例２）、シャフトを装着して前記の条件で試打テストを行った。クラブヘッドの仕様、テストの結果を表６に示す。
【００７３】
【表６】
2004000675.tif 000008
【００７４】
（第３実施形態）
フェース面の表面粗さを変えたクラブセットを表７の仕様にて試作し（実施例４、比較例３）、シャフトを装着して前記の条件で試打テストを行った。クラブヘッドの仕様及びテストの結果を表７に示す。
【００７５】
【表７】
2004000675.tif 000009
【００７６】
いずれの実施形態においても、実施例のものは、比較例と比べて低番手側で打ち出しされたボールのバックスピン量が相対的に少なくかつ打ち出し角が高くなっていることが確認できる。このため、キャリー、ランとも比較例を上回っていることが確認できる。また高番手側、中間番手では、ボールのバックスピン量が相対的に多いためランが非常に少なく、ボールコントロールがしやすいことも確認できる。
【００７７】
【発明の効果】
上述したように、請求項１〜４記載の発明では、低番手側のクラブヘッドでは、打ち出しされたボールのバックスピン量を相対的に少なくし、打ち出し角度を高めることにより、打ち出しされたボールのキャリー、ランを増して飛距離性能を向上しうるとともに、高番手側のクラブヘッドでは、ボールのバックスピン量を相対的に増すことができ、ランを少なくしてボールのコントロール性を向上しうる。
【図面の簡単な説明】
【図１】本実施形態のヘッドセットの一例を示す側面図である。
【図２】本実施形態のヘッドセットの各番手とフェース面の摩擦係数μとの関係を示すグラフである。
【図３】本実施形態のヘッドセットの中から一部のヘッドを取り出して例示する正面図である。
【図４】フェース面の溝と直交するヘッドの断面図である。
【図５】本実施形態のヘッドセットの中から一部のヘッドを取り出して例示する正面図である。
【図６】本実施形態のヘッドセットの中から一部のヘッドを取り出して例示する正面図である。
【図７】従来のヘッドセットの各番手とフェース面の摩擦係数μとの関係を示すグラフである。
【図８】フェース面の表面状態とボールのバックスピン量との関係を示すグラフである。
【図９】３番アイアンのフェース面の表面状態とボールの打ち出し角度との関係を示すグラフである。
【図１０】５番アイアンのフェース面の表面状態とボールの打ち出し角度との関係を示すグラフである。
【図１１】７番アイアンのフェース面の表面状態とボールの打ち出し角度との関係を示すグラフである。
【図１２】ＳＷのフェース面の表面状態とボールの打ち出し角度との関係を示すグラフである。
【図１３】ボールとフェース面のインパクトの過程を説明する断面図である。
【図１４】インパクトからの経過時間とボールのカバーとコア部分との間のせん断力との関係を示すグラフである。
【符号の説明】
２　クラブヘッド
３　フェース面
４　溝
５　パンチマーク
６　凹凸
【図１】
2004000675.tif 000010
【図２】
2004000675.tif 000011
【図３】
2004000675.tif 000012
【図４】
2004000675.tif 000013
【図５】
2004000675.tif 000014
【図６】
2004000675.tif 000015
【図７】
2004000675.tif 000016
【図８】
2004000675.tif 000017
【図９】
2004000675.tif 000018
【図１０】
2004000675.tif 000019
【図１１】
2004000675.tif 000020
【図１２】
2004000675.tif 000021
【図１３】
2004000675.tif 000022
【図１４】
2004000675.tif 000023